(57)【要約】【課題】  文字データ形式の異なるＯＳＤ信号を１つのＯＳＤ回路で生成してそれぞれのデータに適したＯＳＤ重畳手段を切り替えて使用するＯＳＤ重畳回路を提供する。【解決手段】  ＯＳＤ重畳回路１は、分周部１４と、入力端子１１から入力されるＯＳＤ重畳手段選択信号によってＯＳＤ信号生成部１７へ与えるＯＳＤクロックを切り替えるクロック切り替え部１５およびＨＤ／ＶＤを切り替える同期信号切り替え部１６と、第１の記憶部１２および第２の記憶部１７から異なる形式のＯＳＤデータを読み出してＯＳＤクロックおよびＨＤ／ＶＤに同期したＯＳＤ信号を生成するＯＳＤ信号生成部１７と、ＯＳＤ重畳手段選択信号が指示したＯＳＤ重畳手段へＯＳＤ信号を出力するＯＳＤ切り替え部１８とを有する。【選択図】  図１
2006222624.tif 000002
【特許請求の範囲】
【請求項１】
ＯＳＤ信号を入力映像信号に重畳して出力する第１のＯＳＤ重畳手段と、ＯＳＤ信号を出力画像データに重畳して出力する第２のＯＳＤ重畳手段とを有するドットマトリックス型ディスプレイ用映像処理装置へＯＳＤ信号を出力するＯＳＤ重畳回路であって、
前記第１のＯＳＤ重畳手段を使用するか、前記第２のＯＳＤ重畳手段を使用するかを指示するＯＳＤ重畳手段選択指示信号が入力される入力端子と、
第１の形式のＯＳＤデータを記憶する第１の記憶手段と、
第２の形式のＯＳＤデータを記憶する第２の記憶手段と、
前記映像処理装置から入力された出力画像表示用ドットクロックを所定の分周比で分周して分周クロックを出力する分周手段と、
前記映像処理装置から入力された１水平走査期間の前記入力映像信号に対応したドットクロックと、前記分周クロックとが入力され、前記ＯＳＤ重畳手段選択指示信号が前記第１のＯＳＤ重畳手段の使用を指示するときは前記１水平走査期間の前記入力映像信号に対応したドットクロックを選択し、前記ＯＳＤ重畳手段選択指示信号が前記第２のＯＳＤ重畳手段の使用を指示するときは前記分周クロックを選択してＯＳＤ用クロックとして出力するクロック切り替え手段と、
前記映像処理装置から入力された前記入力映像信号の水平同期信号および垂直同期信号と、前記映像処理装置から入力された前記出力画像データの水平同期信号および垂直同期信号とが入力され、前記ＯＳＤ重畳手段選択指示信号が前記第１のＯＳＤ重畳手段の使用を指示するときは前記入力映像信号の前記水平同期信号および前記垂直同期信号を選択し、前記ＯＳＤ重畳手段選択指示信号が前記第２のＯＳＤ重畳手段の使用を指示するときは前記出力画像データの前記水平同期信号および前記垂直同期信号水平同期信号を選択して出力する同期信号切り替え手段と、
前記第１の記憶手段から読み出された前記第１の形式のＯＳＤデータおよび前記第２の記憶手段から読み出された前記第２の形式のＯＳＤデータが入力され、前記クロック切り替え手段から入力された前記ＯＳＤ用クロックおよび前記同期信号切り替え手段から入力された前記水平同期信号ならびに前記垂直同期信号に同期したＯＳＤ信号を生成するＯＳＤ信号生成手段と、
前記ＯＳＤ信号生成手段から入力された前記ＯＳＤ信号を前記ＯＳＤ重畳手段選択指示信号の指示に従って前記第１のＯＳＤ重畳手段もしくは前記第２のＯＳＤ重畳手段に出力するＯＳＤ出力切り替え手段と
を具備することを特徴とするＯＳＤ重畳回路。
【請求項２】
前記第１の形式のＯＳＤデータがクローズドキャプションデータであり、前記第２の形式のＯＳＤデータがオンスクリーン表示データであり、前記第１の形式のＯＳＤデータを表示するときに前記ＯＳＤ重畳手段選択指示信号が前記第１のＯＳＤ重畳手段の使用を指示することを特徴とする請求項１に記載のＯＳＤ重畳回路。
【請求項３】
前記ＯＳＤ出力切り替え手段が、前記第１のＯＳＤ重畳手段へはアナログのＯＳＤ信号を出力し、前記第２のＯＳＤ重畳手段へはアナログ／デジタルのＯＳＤ信号を出力することを特徴とする請求項１または２に記載のＯＳＤ重畳回路。
【請求項４】
前記ＯＳＤ重畳切り替え信号が変化するとき、その変化の前後の所定の期間、前記ＯＳＤ信号生成部からの前記ＯＳＤ信号の出力を停止することを特徴とする請求項１乃至３のいずれか１項に記載のＯＳＤ重畳回路。
【請求項５】
ＯＳＤ重畳手段として、ＯＳＤ信号を入力映像信号に重畳して出力する第１のＯＳＤ重畳手段を選択するか、ＯＳＤ信号を出力画像データに重畳して出力する第２のＯＳＤ重畳手段を選択するかの指示を受けるステップと、
前記指示に従って、選択されたＯＳＤ重畳手段に適したＯＳＤクロックおよび水平同期信号ならびに垂直同期信号を生成するステップと、
前記ＯＳＤクロックおよび前記水平同期信号ならびに前記垂直同期信号に同期したＯＳＤ信号を生成するステップと、
生成された前記ＯＳＤ信号を前記選択されたＯＳＤ重畳手段へ出力するステップと
を有することを特徴とするＯＳＤ重畳手段切り替え方法。
【発明の詳細な説明】
【技術分野】
【０００１】
本発明は、ＯＳＤ（On  Screen  Display）重畳回路およびＯＳＤ重畳手段切り替え方法に関し、特に表示データの形式に応じて２種類のＯＳＤ重畳手段を切り替えて使用するＯＳＤ重畳回路およびＯＳＤ重畳手段切り替え方法に関する。
【背景技術】
【０００２】
テレビジョン放送の映像をＬＣＤ（液晶表示装置）などのドットマトリックス型のフラットパネルディプレイ（ＦＰＤ）に表示させる場合、テレビジョン放送の映像信号はＦＰＤ用映像処理装置で処理されて、ピクセル単位の画像データとしてＦＰＤへ出力される。
【０００３】
ＦＰＤ用映像処理装置は、入力処理部、表示制御部、映像処理部などを有する。入力処理部は、走査方式や画面のアスペクト比の異なる多種類の映像信号の入力を切り替えて、それぞれの映像信号に応じた同期処理などを行う。表示制御部は、例えばインターレス走査方式をプログレッシブ走査方式に変換する処理や、４：３のアスペクト比を１６：９のアスペクト比へ変換するスケーリング処理などを行う。映像処理部は、ＦＰＤの表示画素数の仕様に応じたピクセル単位の画像データを生成する処理などを行う。
【０００４】
このようなＦＰＤを用いるテレビジョン受像機では、チャンネル表示、音量表示、各種設定のメニューなどのいわゆるオンスクリーン表示データをＯＳＤで表示することが一般的に行われている。このＯＳＤで表示されるＯＳＤ信号は、ＯＳＤ機能内蔵マイコンなどに搭載されるＯＳＤ回路で生成されてＦＰＤ用映像処理装置の映像処理部へ送られ、テレビジョン放送映像に重畳されてＦＰＤへ出力される（例えば、特許文献１参照。）。
【０００５】
このとき、ＦＰＤ用映像処理装置の映像処理部は、ＦＰＤの表示画素数の仕様に応じた周波数の出力画像表示用ドットクロックでピクセル単位の画像データを出力する。ＦＰＤの表示画素数の代表的な仕様とそれに対する出力画像表示用ドットクロックの周波数の例には次のようなものがある。  
ＶＧＡ：表示画素数６４０×４８０ピクセル、ドットクロック周波数２７ＭＨｚ
ＷＶＧＡ：表示画素数８００×４８０ピクセル、ドットクロック周波数４０．５ＭＨｚ
ＸＧＡ：表示画素数１０２４×７６８ピクセル、ドットクロック周波数６７．５ＭＨｚ
ＷＸＧＡ：表示画素数１２０８×７６８ピクセル、ドットクロック周波数８１．０ＭＨｚ
したがって、上述のＯＳＤ回路も表示が総数の仕様に応じたドットクロック周波数でＯＳＤデータを生成することが求められる。ところが、通常、ＯＳＤ機能内蔵マイコンの最大クロック周波数は４０〜５０ＭＨｚ程度であり、ＸＧＡやＷＸＧＡの場合、その出力画像表示用ドットクロックの周波数がＯＳＤ機能内蔵マイコンの最大クロック周波数を超えてしまう。そのため、このような場合、出力画像表示用ドットクロックを分周してＯＳＤ機能内蔵マイコンへ与える。例えば、ＸＧＡの場合、その出力画像表示用ドットクロックを分周比１／２で分周すると周波数が３３．７５ＭＨｚとなり、上述のＯＳＤ機能内蔵マイコンの最大クロック周波数内に収まる。
【０００６】
ただし、このように出力画像表示用ドットクロックを分周してＯＳＤ回路のクロックとすると、分周比に比例して、ＯＳＤで表示できる１行当たりの最大文字数が減少する。すなわち、例えば出力画像表示用ドットクロックを分周比１／２で分周すると、ＯＳＤで表示できる１行当たりの最大文字数は、出力画像表示用ドットクロックを分周しないときの文字数の１／２となる。
【０００７】
このようなＯＳＤ回路は、北米地域で行われているクローズドキャプションなどの文字多重放送の字幕を画面表示するときにも使用される。クローズドキャプションの仕様では、１行当たりの表示文字数は最大３４文字（ソリッドスペースを含む）となっている。ところが、クローズドキャプションの場合、一般的に、ＯＳＤ回路で使用されるフォントサイズがＮＴＳＣ信号に合わせて１６×２６ピクセルとなっているため、上述のように出力画像表示用ドットクロックを分周比１／２で分周し、ＦＰＤ制御ＬＳＩの映像処理部で重畳してＸＧＡ表示しようとすると、１行当たりの最大文字数が３２文字（＝１０２４÷１６÷２）となり、クローズドキャプションの仕様を満たさなくなってしまう。
【０００８】
そこで、この場合、上述のオンスクリーン表示データ用のＯＳＤ回路とは別のＯＳＤ回路を用意し、クローズドキャプションの文字データを映像信号としてＦＰＤ用映像処理装置の入力処理部へ入力することによりテレビジョン放送の映像信号に重畳することが行われる。この場合、クローズドキャプション用のＯＳＤ回路のクロックは、ＦＰＤ用映像処理装置の入力処理部から１Ｈ（水平走査期間）のテレビジョン信号に対応したドットクロックを入力する。
【０００９】
このように、従来のＯＳＤ信号の重畳処理においては、表示する文字データがオンスクリーン表示データであるか、クローズドキャプションデータであるか、という文字データの形式の違いによって２つのＯＳＤ回路を使い分ける必要があり、そのため、例えばＯＳＤ機能内蔵のマイコンを２個使用することとなり、回路基板の実装面積が増大するなどの問題があった。
【特許文献１】特開２００２−３６９０９２号公報  （第４ページ、図１）
【発明の開示】
【発明が解決しようとする課題】
【００１０】
そこで、本発明の目的は、オンスクリーン表示データと、クローズドキャプションデータ、など、文字データ形式の異なるＯＳＤ信号を１つのＯＳＤ回路で生成してそれぞれのデータに適したＯＳＤ重畳手段を切り替えて使用するＯＳＤ重畳回路およびＯＳＤ重畳手段切り替え方法を提供することにある。
【課題を解決するための手段】
【００１１】
本発明の一態様によれば、ＯＳＤ信号を入力映像信号に重畳して出力する第１のＯＳＤ重畳手段と、ＯＳＤ信号を出力画像データに重畳して出力する第２のＯＳＤ重畳手段とを有するドットマトリックス型ディスプレイ用映像処理装置へＯＳＤ信号を出力するＯＳＤ重畳回路であって、前記第１のＯＳＤ重畳手段を使用するか、前記第２のＯＳＤ重畳手段を使用するかを指示するＯＳＤ重畳手段選択指示信号が入力される入力端子と、第１の形式のＯＳＤデータを記憶する第１の記憶手段と、第２の形式のＯＳＤデータを記憶する第２の記憶手段と、前記映像処理装置から入力された出力画像表示用ドットクロックを所定の分周比で分周して分周クロックを出力する分周手段と、前記映像処理装置から入力された１水平走査期間の前記入力映像信号に対応したドットクロックと、前記分周クロックとが入力され、前記ＯＳＤ重畳手段選択指示信号が前記第１のＯＳＤ重畳手段の使用を指示するときは前記１水平走査期間の前記入力映像信号に対応したドットクロックを選択し、前記ＯＳＤ重畳手段選択指示信号が前記第２のＯＳＤ重畳手段の使用を指示するときは前記分周クロックを選択してＯＳＤ用クロックとして出力するクロック切り替え手段と、前記映像処理装置から入力された前記入力映像信号の水平同期信号および垂直同期信号と、前記映像処理装置から入力された前記出力画像データの水平同期信号および垂直同期信号とが入力され、前記ＯＳＤ重畳手段選択指示信号が前記第１のＯＳＤ重畳手段の使用を指示するときは前記入力映像信号の前記水平同期信号および前記垂直同期信号を選択し、前記ＯＳＤ重畳手段選択指示信号が前記第２のＯＳＤ重畳手段の使用を指示するときは前記出力画像データの前記水平同期信号および前記垂直同期信号水平同期信号を選択して出力する同期信号切り替え手段と、前記第１の記憶手段から読み出された前記第１の形式のＯＳＤデータおよび前記第２の記憶手段から読み出された前記第２の形式のＯＳＤデータが入力され、前記クロック切り替え手段から入力された前記ＯＳＤ用クロックおよび前記同期信号切り替え手段から入力された前記水平同期信号ならびに前記垂直同期信号に同期したＯＳＤ信号を生成するＯＳＤ信号生成手段と、前記ＯＳＤ信号生成手段から入力された前記ＯＳＤ信号を前記ＯＳＤ重畳手段選択指示信号の指示に従って前記第１のＯＳＤ重畳手段もしくは前記第２のＯＳＤ重畳手段に出力するＯＳＤ出力切り替え手段とを具備することを特徴とするＯＳＤ重畳回路が提供される。
【００１２】
また、本発明の別の一態様によれば、ＯＳＤ重畳手段として、ＯＳＤ信号を入力映像信号に重畳して出力する第１のＯＳＤ重畳手段を選択するか、ＯＳＤ信号を出力画像データに重畳して出力する第２のＯＳＤ重畳手段を選択するかの指示を受けるステップと、前記指示に従って、選択されたＯＳＤ重畳手段に適したＯＳＤクロックおよび水平同期信号ならびに垂直同期信号を生成するステップと、前記ＯＳＤクロックおよび前記水平同期信号ならびに前記垂直同期信号に同期したＯＳＤ信号を生成するステップと、生成された前記ＯＳＤ信号を前記選択されたＯＳＤ重畳手段へ出力するステップとを有することを特徴とするＯＳＤ重畳手段切り替え方法が提供される。
【発明の効果】
【００１３】
本発明によれば、文字データ形式が異なっていても１つのＯＳＤ回路でＯＳＤ信号生成し、それぞれのデータに適したＯＳＤ重畳手段を用いてドットマトリックス型ディスプレイにＯＳＤ表示することができるので、ＯＳＤ回路を実装する回路基板の面積の削減およびコストの削減を図ることができる。
【発明を実施するための最良の形態】
【００１４】
以下、本発明の実施例を図面を参照して説明する。
【実施例】
【００１５】
図１は、本発明の実施例に係るＯＳＤ重畳回路の構成の例を示すブロック図である。  
本実施例のＯＳＤ重畳回路１は、ドットマトリックス型ディスプレイであるＦＰＤ２００に表示する画像データを生成するＦＰＤ用映像処理装置１００に接続して用いる。そこで、ＯＳＤ重畳回路１の説明の前に、先ずＦＰＤ用映像処理装置１００について説明する。
【００１６】
ＦＰＤ用映像処理装置１００は、入力された走査方式や画面のアスペクト比の異なる多種類の映像信号に対して、映像の種類に応じた同期処理などを行う入力処理部１０１と、走査方式変換処理やスケーリング処理などを行う表示制御部１０２と、ＦＰＤ２００の表示画素数の仕様に応じたピクセル単位の画像データを生成してＦＰＤ２００へ出力する映像処理部１０３を有する。
【００１７】
また、ＦＰＤ用映像処理装置１００は２つのＯＳＤ重畳手段を有する。すなわち、第１のＯＳＤ重畳手段として、入力されたアナログＯＳＤ信号を映像信号に変換して入力処理部１０１へ出力する前段ＯＳＤ重畳部１０４を有し、第２のＯＳＤ重畳手段として、入力されたアナログ／デジタルＯＳＤ信号を画像データに変換して映像処理部１０３へ出力する後段ＯＳＤ重畳部１０５を有する。
【００１８】
次に、本実施例のＯＳＤ重畳回路１について説明する。なお、本実施例のＯＳＤ重畳回路１は、異なる形式のＯＳＤデータとして、クローズドキャプションデータとオンスクリーン表示データの２つを処理するものとする。
【００１９】
ＯＳＤ重畳回路１は、入力端子１１と、第１の記憶部１２と、第２の記憶部１３と、分周部１４と、クロック切り替え部１５と、同期信号切り替え部１６と、ＯＳＤ信号生成部１７と、ＯＳＤ切り替え部１８とを有する。
【００２０】
入力端子１１へは、ＯＳＤ重畳手段選択指示信号が入力される。ＯＳＤ重畳手段選択指示信号は、ＯＳＤ重畳手段としてＦＰＤ用映像処理装置１００の前段ＯＳＤ重畳部１０４を使用するか後段ＯＳＤ重畳部１０５を使用するかを指示する信号である。
【００２１】
第１の記憶部１２には、クローズドキャプションデータが記憶されている。
【００２２】
第２の記憶部１３には、オンスクリーン表示データが記憶されている。
【００２３】
分周部１４は、ＦＰＤ用映像処理装置１００の映像処理部１０３から入力された出力画像表示用ドットクロックを所定の分周比で分周する。分周比は、出力画像表示用ドットクロックとＯＳＤ信号生成部１７の最大動作周波数の比にもとづいて決定される。
【００２４】
クロック切り替え部１５へは、ＦＰＤ用映像処理装置１００の入力処理部１０１から出力された１Ｈ（水平走査期間）の映像信号に対応したドットクロックと、分周部１４の出力が入力される。クロック切り替え部１５は、ＯＳＤ重畳手段選択指示信号に従って、そのいずれかの入力を出力する。すなわち、ＯＳＤ重畳手段選択指示信号が前段ＯＳＤ重畳部１０４の使用を指示しているときはＦＰＤ用映像処理装置１００の入力処理部１０１から入力された１Ｈの映像信号に対応したドットクロックを出力し、ＯＳＤ重畳手段選択指示信号が後段ＯＳＤ重畳部１０５の使用を指示しているときは分周部１４からの入力を出力する。この出力は、ＯＳＤ用クロックとしてＯＳＤ信号生成部１７へ入力される。
【００２５】
同期信号切り替え部１６へは、ＦＰＤ用映像処理装置１００の入力処理部１０１からの映像信号の水平同期信号および垂直同期信号（ＨＤ／ＶＤ）と、ＦＰＤ用映像処理装置１００の映像処理部１０３からの画像データの水平同期信号および垂直同期信号（ＨＤ／ＶＤ）が入力される。同期信号切り替え部１６は、ＯＳＤ重畳手段選択指示信号に従って、そのいずれかの入力を出力する。すなわち、ＯＳＤ重畳手段選択指示信号が前段ＯＳＤ重畳部１０４の使用を指示しているときはＦＰＤ用映像処理装置１００の入力処理部１０１から入力された映像信号のＨＤ／ＶＤを出力し、ＯＳＤ重畳手段選択指示信号が後段ＯＳＤ重畳部１０５の使用を指示しているときはＦＰＤ用映像処理装置１００の映像処理部１０３から入力された画像データのＨＤ／ＶＤを出力する。この出力は、水平同期信号および垂直同期信号（ＨＤ／ＶＤ）としてＯＳＤ信号生成部１７へ入力される。
【００２６】
ＯＳＤ信号生成部１７は、第１の記憶部１２に記憶されているクローズドキャプションデータまたは第２に記憶されている記憶部１３のオンスクリーン表示データを読み込んで、クロック切り替え部１５から入力されたＯＳＤ用クロックおよび同期信号切り替え部１６から入力されたＨＤ／ＶＤに同期したＯＳＤ信号を生成する。
【００２７】
ＯＳＤ切り替え部１８は、ＯＳＤ重畳手段選択指示信号に従って、ＯＳＤ信号生成部１７から入力されたＯＳＤ信号をＦＰＤ用映像処理装置１００の前段ＯＳＤ重畳部１０４または後段ＯＳＤ重畳部１０５へ出力する。このとき、ＯＳＤ重畳手段選択指示信号が前段ＯＳＤ重畳部１０４の使用を指示しているときはアナログＯＳＤ信号を前段ＯＳＤ重畳部１０４へ出力し、後段ＯＳＤ重畳部１０５の使用を指示しているときはアナログ／デジタルＯＳＤ信号を後段ＯＳＤ重畳部１０５へ出力する。
【００２８】
図２は、本実施例のＯＳＤ重畳回路１によるＯＳＤ重畳手段の切り替え方法の例を示すフロー図である。
【００２９】
クローズドキャプションデータまたはオンスクリーン表示データのＯＳＤ表示が必要になると、入力端子１１からＯＳＤ重畳手段として前段ＯＳＤ重畳部１０４を使用するか後段ＯＳＤ重畳部１０５を使用するかを指示するＯＳＤ重畳手段選択指示信号が入力される（ステップＳ１）。
【００３０】
入力されたＯＳＤ重畳手段選択指示信号が前段ＯＳＤ重畳部１０４の使用を指示するときは、クロック切り替え部１５がＦＰＤ用映像処理装置１００の入力処理部１０１から入力された１Ｈの映像信号に対応したドットクロックをＯＳＤ信号生成部１７へ出力し、同期信号切り替え部１６がＦＰＤ用映像処理装置１００の入力処理部１０１から入力された映像信号のＨＤ／ＶＤをＯＳＤ信号生成部１７へ出力する。出力ＯＳＤ重畳手段選択指示信号が後段ＯＳＤ重畳部１０５の使用を指示するときは、クロック切り替え部１５がＦＰＤ用映像処理装置１００の映像処理部１０３から入力された出力画像表示用ドットクロックを分周部１４で分周した出力をＯＳＤ信号生成部１７へ出力し、同期信号切り替え部１６がＦＰＤ用映像処理装置１００の映像処理部１０３から入力された画像データのＨＤ／ＶＤをＯＳＤ信号生成部１７へ出力する（ステップＳ２）。
【００３１】
ＯＳＤ信号生成部１７が、第１の記憶部１２に記憶されているクローズドキャプションデータまたは第２の記憶部１３に記憶されているオンスクリーン表示データを読み込んで、クロック切り替え部１５から入力されたＯＳＤ用クロックおよび同期信号切り替え部１６から入力されたＨＤ／ＶＤに同期したＯＳＤ信号を生成する（ステップＳ３）。
【００３２】
ＯＳＤ切り替え部１８が、ＯＳＤ重畳手段選択指示信号により指示されたＯＳＤ重畳手段へＯＳＤ信号を出力する。ＯＳＤ信号生成部１７から入力されたＯＳＤ信号をＦＰＤ用映像処理装置１００の前段ＯＳＤ重畳部１０４または後段ＯＳＤ重畳部１０５へ出力する。このとき、ＯＳＤ重畳手段選択指示信号が前段ＯＳＤ重畳部１０４の使用を指示しているときはアナログＯＳＤ信号を前段ＯＳＤ重畳部１０４へ出力し、後段ＯＳＤ重畳部１０５の使用を指示しているときはデジタルＯＳＤ信号を後段ＯＳＤ重畳部１０５へ出力する（ステップＳ４）。
【００３３】
具体的な例として、出力画像表示用ドットクロックが６７．５ＭＨｚのＸＧＡでＦＰＤ２００に画像データが表示されているときに、例えば最大動作周波数が４０ＭＨｚ程度のＯＳＤ信号生成部１７を用い、後段ＯＳＤ表示部１０５を使ってオンスクリーン表示データのＯＳＤ表示を行う場合は、分周部１４の分周比を１／２に設定した上で、ＯＳＤ重畳手段選択指示信号により後段ＯＳＤ重畳部１０５の使用を指示する。
【００３４】
これにより、クロック切り替え部１５は３３．７５ＭＨｚのＯＳＤクロックをＯＳＤ信号生成部１７へ入力し、同期信号切り替え部１６は映像処理部１０３から出力された画像データのＨＤ／ＶＤをＯＳＤ信号生成部１７へ入力する。
【００３５】
ＯＳＤ信号生成部１７は、第２の記憶部１３からオンスクリーン表示データを読み込んで、上述のＯＳＤクロックとＨＤ／ＶＤに同期したＯＳＤ信号を生成し、ＯＳＤ切り替え部１８へ出力する。
【００３６】
ＯＳＤ切り替え部１８は、後段ＯＳＤ重畳部１０５へデジタルＯＳＤ信号を出力する。これにより、オンスクリーン表示データは、映像処理部１０３で画像データに重畳され、ＦＰＤ２００にＯＳＤ表示される。
【００３７】
なお、出力画像表示用ドットクロックが８１．０ＭＨｚのＷＸＧＡでＦＰＤ２００に画像データが表示されているときは、分周部１４の分周比を１／３に設定することで、上述の説明と同様のＯＳＤ表示を行うことができる。
【００３８】
一方、ＸＧＡあるいはＷＸＧＡでＦＰＤ２００に画像データが表示されているときにクローズドキャプションデータを表示したいときは、前段ＯＳＤ重畳部１０４を使用する。この場合、ＯＳＤ重畳手段選択指示信号により前段ＯＳＤ表示部１０４の使用が指示される。
【００３９】
これにより、クロック切り替え部１５は入力処理部１０１から入力された１Ｈの映像信号に対応したドットクロックをＯＳＤクロックとしてＯＳＤ信号生成部１７へ入力し、同期信号切り替え部１６は入力処理部１０１から出力された映像信号のＨＤ／ＶＤをＯＳＤ信号生成部１７へ入力する。
【００４０】
ＯＳＤ信号生成部１７は、第１の記憶部１２からクローズドキャプションデータを読み込んで、上述のＯＳＤクロックとＨＤ／ＶＤに同期したＯＳＤ信号を生成し、ＯＳＤ切り替え部１８へ出力する。
【００４１】
ＯＳＤ切り替え部１８は、前段ＯＳＤ重畳部１０４へアナログＯＳＤ信号を出力する。これにより、クローズドキャプションデータは、入力像処理部１０１で映像信号に重畳され、ＦＰＤ２００にＯＳＤ表示される。
【００４２】
これに対して、出力画像表示用ドットクロックが２７ＭＨｚのＶＧＡでＦＰＤ２００に画像データが表示されているときは、出力画像表示用ドットクロックの周波数がＯＳＤ信号生成部１７の最大動作周波数を下回るため、クローズドキャプションデータも後段ＯＳＤ重畳部１０５を用いて重畳することができる。この場合、分周部１４の分周比を１に設定して、ＯＳＤ重畳手段選択指示信号により後段ＯＳＤ重畳部１０５の使用を指示する。
【００４３】
これにより、クローズドキャプションデータも後段ＯＳＤ重畳部１０５を介してＯＳＤ表示される。
【００４４】
なお、使用するＯＳＤ重畳手段を切り替える際にＯＳＤ信号生成部１７からＯＳＤ信号を継続して出力していると、画面表示が乱れることがある。そこで、これを防止するために、本実施例においては、図３に示すように、ＯＳＤ重畳手段選択信号が変化する前後の所定の期間、ＯＳＤ信号生成部１７からのＯＳＤ信号の出力を停止する。
【００４５】
このような本実施例のＯＳＤ重畳回路およびＯＳＤ重畳手段切り替え方法によれば、クローズドキャプションデータとオンスクリーン表示データなど、ＯＳＤデータの形式が異なっていても１つのＯＳＤ信号生成回路でＯＳＤ信号を生成することができる。また、２つのＯＳＤ重畳手段を切り替えて使用することにより、１行当たりの文字数の多いクローズドキャプションデータであっても、全文字をＶＧＡやＸＧＡなどのさまざまな表示仕様のＦＰＤに表示することができる。
【図面の簡単な説明】
【００４６】
【図１】本発明の実施例に係るＯＳＤ重畳回路の構成の例を示すブロック図。
【図２】本発明の実施例に係るＯＳＤ重畳回路によるＯＳＤ重畳手段の切り替え方法の例を示すフロー図。
【図３】本発明の実施例に係るＯＳＤ重畳回路の動作の例を示す波形図。
【符号の説明】
【００４７】
１  ＯＳＤ重畳回路
１１  入力端子
１２  第１の記憶部
１３  第２の記憶部
１４  分周部
１５  クロック切り替え部
１６  同期信号切り替え部
１７  ＯＳＤ信号生成部
１８  ＯＳＤ切り替え部
【図１】
2006222624.tif 000003
【図２】
2006222624.tif 000004
【図３】
2006222624.tif 000005